(57)【要約】【課題】読影レポートの作成をより簡単に行なうことができる読影レポート作成システムを提供する。【解決手段】被検体の医用画像が表示されるモニタ１３と、このモニタ１３に表示された医用画像において操作者が任意の部分を指示する指示マーカであって、所定の所見情報及び所定の診断情報のうち少なくとも一方を示す指示マーカを、操作者が複数種類から選択して設定する入力を行なう入力部１１と、この入力部１１によって設定された前記指示マーカが示す所見情報及び診断情報のうち少なくとも一方が、読影レポートにおける所見欄又は診断欄のいずれかの内容として記載された読影レポートを作成する読影レポート作成部１２１２と、を備えることを特徴とする。【選択図】図２
2013008274.tif 000002
【特許請求の範囲】
【請求項１】
被検体の医用画像が表示される表示部と、
該表示部に表示された医用画像において任意の部分を指示する指示マーカであって、所定の所見情報及び所定の診断情報のうち少なくとも一方を示す指示マーカを、操作者が複数種類から選択して設定する入力を行なう入力部と、
該入力部によって設定された前記指示マーカが示す所見情報及び診断情報のうち少なくとも一方が、読影レポートにおける所見欄又は診断欄のいずれかの内容として記載された読影レポートを作成する読影レポート作成部と、
を備えることを特徴とする読影レポート作成システム。
【請求項２】
前記読影レポート作成部は、前記指示マーカの設定によって特定される情報として、前記指示マーカが設定された医用画像を特定するための特定情報、前記医用画像が取得された検査の情報、前記指示マーカによって指示された部位の被検体における位置及び大きさの少なくともいずれかが記載された読影レポートを作成することを特徴とする請求項１に記載の読影レポート作成システム。
【請求項３】
医用画像を特定するための特定情報は、同一被検体について一回の検査で得られた複数の医用画像の中から医用画像を特定するための情報であることを特徴とする請求項２に記載の読影レポート作成システム。
【請求項４】
前記医用画像が取得された検査の情報には検査モダリティの情報が含まれることを特徴とする請求項２又は３に記載の読影レポート作成システム。
【請求項５】
前記指示マーカによって指示された部位の被検体における位置を、前記医用画像における前記指示マーカの設定位置と前記検査の情報とに基づいて特定する位置特定部を備えることを特徴とする請求項２〜４のいずれか一項に記載の読影レポート作成システム。
【請求項６】
前記指示マーカによって指示された部位の大きさを測定する測定部を備えることを特徴とする請求項２〜５のいずれか一項に記載の読影レポート作成システム。
【請求項７】
表示形態が異なる複数種類の前記指示マーカが記憶されるとともに、該指示マーカが示す所見情報及び診断情報のうち少なくとも一方が記憶された記憶部を備え、
前記読影レポート作成部は、前記記憶部の記憶内容に基づいて、前記医用画像に設定された指示マーカに対応する内容が前記所見欄又は前記診断欄に記載された読影レポートを作成する
ことを特徴とする請求項１〜６のいずれか一項に記載の読影レポート作成システム。
【請求項８】
前記読影レポート作成部は、検査部位と医用画像の所見情報とに基づいて、予め記憶された診断情報の候補を表示することを特徴とする請求項１〜７のいずれか一項に記載の読影レポート作成システム。
【請求項９】
コンピュータに、
被検体の医用画像において任意の部分を指示する指示マーカであって、所定の所見情報及び所定の診断情報のうち少なくとも一方を示す指示マーカが設定されると、該指示マーカが示す所見情報及び診断情報のうち少なくとも一方が、読影レポートにおける所見欄及び診断欄の少なくともいずれかの内容として記載された読影レポートを作成する読影レポート作成機能
を実行させることを特徴とする読影レポート作成システムの制御プログラム。
【発明の詳細な説明】
【技術分野】
【０００１】
本発明は、読影レポートの作成を支援する読影レポート作成システム及びその制御プログラムに関する。
【背景技術】
【０００２】
Ｘ線ＣＴ（Ｃｏｍｐｕｔｅｄ  Ｔｏｍｏｇｒａｐｈｙ）装置やＭＲＩ（Ｍａｇｎｅｔｉｃ  Ｒｅｓｏｎａｎｃｅ  Ｉｍａｇｉｎｇ）装置などの医用画像装置で得られた医用画像を用いた診断を行なうにあたり、主治医とは別に読影医が医用画像に基づいて読影レポートを作成する場合がある。読影レポートには、所見や診断の情報が含まれており、読影医はこれらの情報を読影端末において記載して読影レポートを作成している。
【０００３】
読影レポートの作成にあたっては、読影医が、読影端末上で文字を入力することもあるが、読影レポートの記載内容は、ある程度定型化しているため、テンプレートから選択する場合もある（例えば、特許文献１参照）。
【先行技術文献】
【特許文献】
【０００４】
【特許文献１】特開２００５−３１７１９号公報
【発明の概要】
【発明が解決しようとする課題】
【０００５】
上記特許文献１のように、読影レポートの記載内容をテンプレートから選択する場合、文字を入力する場合と比べれば読影レポートの作成が容易になる。しかし、複数の候補の中から所望の言葉を選択するという作業を、複数の項目について行なう必要があり、かえって面倒な場合もある。このため、読影レポートの作成をより簡単に行うことができる読影レポート作成システムが望まれている。
【課題を解決するための手段】
【０００６】
上述の課題を解決するためになされた発明は、被検体の医用画像が表示される表示部と、この表示部に表示された医用画像において任意の部分を指示する指示マーカであって、所定の所見情報及び所定の診断情報のうち少なくとも一方を示す指示マーカを、操作者が複数種類から選択して設定する入力を行なう入力部と、この入力部によって設定された前記指示マーカが示す所見情報及び診断情報のうち少なくとも一方が、読影レポートにおける所見欄又は診断欄のいずれかの内容として記載された読影レポートを作成する読影レポート作成部と、を備えることを特徴とする読影レポート作成システムである。
【発明の効果】
【０００７】
上記観点の発明によれば、操作者が医用画像の任意の部分を指示する指示マーカを設定するだけで、設定された指示マーカが示す所見情報及び診断情報のうち少なくとも一方が、読影レポートにおける所見欄及び診断欄のいずれかの内容を構成する情報として表示される。従って、読影レポートが半自動的に作成されるので、読影レポートを一層容易に作成することができる。
【図面の簡単な説明】
【０００８】
【図１】第一実施形態の医用情報システムのブロック図である。
【図２】図１に示す医用情報システムにおける読影端末のブロック図である。
【図３】図１に示す医用情報システムにおける医用画像サーバに記憶されたデータを示すブロック図である。
【図４】Ｓｅｒｉｅｓ  Ｉｎｓｔａｎｃｅ  ＵＩＤを説明する図である。
【図５】図３に示す定義情報データの具体例を示す図である。
【図６】読影レポートの作成のフローチャートである。
【図７】医用画像が表示されたモニタの一例を示す図である。
【図８】指示マーカにカーソルを合わせた状態の医用画像が表示されたモニタの一例を示す図である。
【図９】所見が見られた位置に指示マーカが設定された医用画像が表示されたモニタの一例を示す図である。
【図１０】指示マーカの設定の他例を説明する図である。
【図１１】指示マーカの円周部の径の調節を説明する図である。
【図１２】所見欄が重畳された医用画像が表示されたモニタの一例を示す図である。
【図１３】所見欄と診断欄とが重畳された医用画像が表示されたモニタの一例を示す図である。
【図１４】第一実施形態の第一変形例における定義情報データの具体例を示す図である。
【図１５】第二実施形態の医用情報システムのブロック図である。
【図１６】第二実施形態の医用情報システムにおける読影端末のブロック図である。
【図１７】読影レポートの作成画面が表示されたモニタの一例を示す図である。
【図１８】指示マーカが設定された医用画像が表示されたモニタの一例を示す図である。
【発明を実施するための形態】
【０００９】
以下、本発明の実施形態について説明する。
（第一実施形態）
先ず、第一実施形態について図１〜図１１に基づいて説明する。図１に示す医用情報システム１００は、本発明に係る読影レポート作成システムの実施の形態の一例であり、読影端末１、医用画像サーバ２及びモダリティ３を含んで構成される。これら読影端末１、医用画像サーバ２及びモダリティ３は、ネットワーク４を介して接続されている。
【００１０】
前記読影端末１は、汎用型のパーソナルコンピュータ（Ｐｅｒｓｏｎａｌ  Ｃｏｍｐｕｔｅｒ）であり、図２に示すように、入力部１１、ＣＰＵ（Ｃｅｎｔｒａｌ  Ｐｒｏｃｅｓｓｉｎｇ  Ｕｎｉｔ）１２、モニタ（ｍｏｎｉｔｏｒ）１３、通信インターフェース（ｉｎｔｅｒｆａｃｅ）１４、メモリ（ｍｅｍｏｒｙ）１５を有している。
【００１１】
前記入力部１１は、キーボード（ｋｅｙｂｏａｒｄ）やマウス（ｍｏｕｓｅ）などからなる。操作者は、この入力部１１により、後述するように前記モニタ１３に表示された医用画像において任意の部分を指示する指示マーカＩＭを設定する。前記入力部１１は、本発明における入力部の実施の形態の一例である。
【００１２】
前記ＣＰＵ１２は、プログラム（ｐｒｏｇｒａｍ）を読み出して、前記読影端末１における各種の機能を実行する。このＣＰＵ１２は、図２に示すように画像ビューワ（ｖｉｅｗｅｒ）１２１を有している。
【００１３】
前記画像ビューワ１２１は、画像表示制御部１２１１及び読影レポート作成部１２１２を有している。前記画像表示制御部１２１１は、前記モニタ１３に画像を表示させる機能を実行するものであり、前記モダリティ３で撮影された医用画像Ｇや前記指示マーカＩＭを前記モニタ１３に表示させる。
【００１４】
ちなみに、前記医用画像Ｇが表示される前記モニタ１３は、近接して複数個設けられていてもよい。前記モニタ１３は、本発明における表示部の実施の形態の一例である。
【００１５】
前記読影レポート作成部１２１２は、読影レポート作成機能を実行するものであり、前記指示マーカＩＭが設定されると、その指示マーカＩＭが示す所見情報が読影レポートにおける所見欄に表示された読影レポートを作成する。詳細は後述する。前記読影レポート作成部１２１２は、本発明における読影レポート作成部の実施の形態の一例である。
【００１６】
前記医用画像サーバ２には、図３に示すように、医用画像データ２１、患者・検査情報データ２２、定義情報データ２３が記憶されている。前記医用画像データ２１は、前記モダリティ３で撮影されたＤＩＣＯＭデータであり、ＤＩＣＯＭヘッダ情報として、Ｓｔｕｄｙ  Ｉｎｓｔａｎｃｅ  ＵＩＤ、Ｓｅｒｉｅｓ  Ｉｎｓｔａｎｃｅ  ＵＩＤ、ＳＯＰ  Ｉｎｓｔａｎｃｅ  ＵＩＤなどを有している。Ｓｔｕｄｙ  Ｉｎｓｔａｎｃｅ  ＵＩＤは検査のＩＤであり、Ｓｅｒｉｅｓ  Ｉｎｓｔａｎｃｅ  ＵＩＤはどのシリーズの画像であるかを示すＩＤであり、ＳＯＰ  Ｉｎｓｔａｎｃｅ  ＵＩＤはあるシリーズにおける画像番号を示すＩＤである。例えば、ある検査が、図４に示すように、スカウト像の撮影、断面群Ｉについての撮影、断面群IIについての撮影からなる場合、スカウト像の撮影をＳｅｒｉｅｓ１、断面群Ｉについての撮影をＳｅｒｉｅｓ２、断面群IIについての撮影をＳｅｒｉｅｓ３とする。この場合、Ｓｔｕｄｙ  Ｉｎｓｔａｎｃｅ  ＵＩＤは、前記Ｓｅｒｉｅｓ１〜３からなる検査のＩＤであり、Ｓｅｒｉｅｓ  Ｉｎｓｔａｎｃｅ  ＵＩＤは、Ｓｅｒｉｅｓ１〜３のうちいずれのシリーズであるかを示すＩＤである。また、ＳＯＰ  Ｉｎｓｔａｎｃｅ  ＵＩＤは、各シリーズにおける画像に付された画像番号を示すＩＤである。例えば、Ｓｅｒｉｅｓ２がｎ枚の画像からなる場合、画像番号１〜ｎを示すＩＤがＳＯＰ  Ｉｎｓｔａｎｃｅ  ＵＩＤである。
【００１７】
Ｓｅｒｉｅｓ  Ｉｎｓｔａｎｃｅ  ＵＩＤ及びＳＯＰ  Ｉｎｓｔａｎｃｅ  ＵＩＤは、同一被検体について一回の検査で得られた複数の医用画像の中から医用画像を特定するための情報であり、本発明における医用画像の特定情報の実施の形態の一例である。
【００１８】
前記患者・検査情報データ２２は、前記医用画像データ２１の患者情報と検査情報のデータである。患者情報は、例えば患者の氏名、患者のＩＤ等の情報である。また、検査情報は、例えば医用画像が取得された検査の情報であり、例えば検査日、検査モダリティ、検査部位等の情報である。
【００１９】
前記定義情報データ２３は、図５に示すように、表示形態が異なる複数種類の前記指示マーカＩＭ１，ＩＭ２，ＩＭ３，・・・と、各指示マーカＩＭが示す所見欄の内容の情報（所見情報）とからなる。診断部位に応じて所見が異なるため、前記定義情報データ２３は、検査部位ごとに記憶されている。図５では、検査部位が乳房である例が示されており、指示マーカＩＭ１は「脂肪」という所見情報、指示マーカＩＭ２は「石灰化」という所見情報、指示マーカＩＭ３は「腫瘤」という所見情報を示す。ここでいう所見情報は、所見欄に記載される情報のうち、医用画像に見られる所見そのもの（狭義の所見）を意味する。前記定義情報データ２３が記憶された前記医用画像サーバ２は、本発明における記憶部の実施の形態の一例である。
【００２０】
前記モダリティ３としては、例えば核医学診断装置、Ｘ線ＣＴ（Ｃｏｍｐｕｔｅｄ  Ｔｏｍｏｇｒａｐｈｙ）装置、ＭＲＩ（Ｍａｇｎｅｔｉｃ  Ｒｅｓｏｎａｎｃｅ  Ｉｍａｇｉｎｇ）装置、一般Ｘ線撮影装置などが前記ネットワーク４に接続されている。
【００２１】
さて、前記医用情報システム１００における読影レポートの作成について図６のフローチャートに基づいて説明する。先ずステップＳ１では、読影医は前記読影端末１の入力部１１において、読影レポートの作成対象を特定するための情報を入力する。具体的には、読影レポートの作成対象となる患者の氏名、検査日、検査モダリティを入力する。本例では、検査モダリティとしてマンモグラフィが入力される。ちなみに、読影医は本発明における操作者の一例である。
【００２２】
次にステップＳ２では、前記医用画像サーバ２に記憶された医用画像データのうち、前記ステップＳ１で入力された情報に該当する検査の医用画像データを、前記読影端末１が取得し、前記メモリ１５に記憶する。また、前記読影端末１は、前記患者・検査情報データ２２の中から、前記ステップＳ１で入力された検査の患者情報及び検査情報を取得して前記メモリ１５に記憶する。さらに、前記読影端末１は、前記検査情報に含まれる検査部位の情報に基づいて、前記定義情報データ２３の中から該当する検査部位に対応する定義情報データを取得し、それぞれ前記メモリ１５に記憶する。本例では、検査部位は乳房であるものとする。
【００２３】
次にステップＳ３では、読影医は、前記モニタ１３に表示された医用画像の読影を行ない、所見が認められた医用画像に指示マーカＩＭを設定する。詳しく説明すると、前記画像表示制御部１２１１は、図７に示すように、前記メモリ１５に記憶された医用画像データに基づく医用画像Ｇを前記モニタ１３に表示させる。また、前記画像表示制御部１２１１は、前記定義情報データにおいて記憶された指示マーカＩＭを前記モニタ１３に表示させる。
【００２４】
読影医は、表示された医用画像Ｇの読影を行なう。そして、読影レポートに記載すべき所見が認められた場合、その医用画像Ｇの該当箇所に指示マーカＩＭを設定する。
【００２５】
前記指示マーカＩＭの設定について説明する。前記モニタ１３には、表示形態が異なる指示マーカＩＭが表示されている。操作者は、前記指示マーカＩＭの中から、前記医用画像Ｇに認められた所見に対応する指示マーカＩＭを選択し、これを前記医用画像Ｇに設定する。具体的に説明すると、ここでは検査部位が乳房である医用画像Ｇに石灰化と思われる部分が認められたものとする。読影医は、前記入力部１１のマウス等を用いて、図８に示すように石灰化を示す指示マーカＩＭ２にカーソルＣを合わせる。そして、図９に示すように、ドラッグ・アンド・ドロップ（ｄｒａｇ  ａｎｄ  ｄｒｏｐ）操作を行なって、前記医用画像Ｇにおいて石灰化と思われる部分に指示マーカＩＭ２を設定する。
【００２６】
なお、図１０に示すように、マウスの右クリック操作によって前記医用画像Ｇに指示マーカＩＭを表示させ、表示された指示マーカＩＭの中から所見に対応する指示マーカＩＭを選択することによって指示マーカＩＭの設定を行なうようにしてもよい。この場合、ドラック・アンド・ドロップ操作が不要になり、マウスの移動操作を少なくすることができるので、マウス操作の煩わしさを軽減することができる。
【００２７】
また、図１１に示すように、前記指示マーカＩＭの円周部ｃｆの径は変更できるようになっていてもよい。これにより、所見が見られる部位の大きさに応じた径を有する指示マーカＩＭを設定することができる。
【００２８】
ステップＳ３において指示マーカＩＭ２が設定されると、ステップＳ４では、読影レポート作成部１２１２が、前記指示マーカＩＭ２が示す所見情報が所見欄に記載された読影レポートを作成する。具体的には、前記読影レポート作成部１２１２は、前記メモリ１５に記憶された定義情報データ２３に基づいて、前記医用画像Ｇに設定された指示マーカＩＭ２が示す所見情報（石灰化）が記載された所見欄Ｘを、図１２に示すように前記医用画像Ｇに重畳することにより読影レポートを作成する。ちなみに、ここでいう医用画像Ｇとは、被検体の画像が表示された四角形の枠Ｆｒで囲まれる部分の画像をいうものとする。
【００２９】
読影医は、自動的に表示された情報以外の他の情報を文字で前記所見欄Ｘに入力してもよい。
【００３０】
ちなみに、前記読影レポート作成部１２１２は、前記指示マーカＩＭ２が設定されることによって特定される情報として、シリーズ情報や画像番号、モダリティ情報などを、前記メモリ１５に記憶されたＤＩＣＯＭヘッダ情報や患者・検査情報データ２２に基づいて前記所見欄Ｘに記載してもよい。また、前記読影レポート作成部１２１２は、読影医が前記入力部１１のキーボード等を用いて診断内容を文字で入力できるように、図１３に示すように、前記所見欄Ｘとは別に、空欄の診断欄Ｙを前記医用画像Ｇに重畳してもよい。
【００３１】
前記ステップＳ４で作成された読影レポート、すなわち医用画像Ｇ上に所見欄Ｘや診断欄Ｙを有してなる読影レポートは、前記医用画像サーバ２に記憶される。
【００３２】
本例によれば、前記医用画像Ｇに前記指示マーカＩＭを設定するだけで、所見欄Ｘの内容が半自動的に作成されるので、読影医は読影レポートを従来よりも容易に作成することができる。
【００３３】
次に、第一実施形態の変形例について説明する。先ず、第一変形例について説明すると、本例では、前記定義情報データ２３として、図１４に示すように、表示形態が異なる複数種類の前記指示マーカＩＭ１，ＩＭ２，ＩＭ３，・・・と、各指示マーカＩＭが示す診断欄の内容の情報（診断情報）とが記憶されている。そして、前記ステップＳ３において前記指示マーカＩＭが設定されると、ステップＳ４において、前記読影レポート作成部１２１２は、前記定義情報データ２３に基づいて、前記医用画像Ｇに設定された指示マーカＩＭが示す診断情報が記載された診断欄Ｙを、前記医用画像Ｇに重畳することにより読影レポートを作成する（図示省略）。また、前記読影レポート作成部１２１２は、空欄の所見欄Ｘを前記医用画像Ｇに重畳してもよい。この場合、前記所見欄Ｘに読影医が文字で所見を記載する。
【００３４】
次に、第二変形例について説明する。検査部位と所見とが特定されると、診断内容は絞られる。従って、予め検査部位と所見とから考えられる診断情報を前記医用画像サーバ２に記憶しておき、ステップＳ３において、所見に応じて指示マーカＩＭが選択されると、前記読影レポート作成部１２１２は、前記指示マーカＩＭの種類と、ステップＳ２において取得された検査情報に含まれる検査部位とに基づいて、診断情報の候補を表示するようにしてもよい。
【００３５】
（第二実施形態）
次に、第二実施形態について説明する。ただし、第一実施形態と異なる事項について説明する。
【００３６】
図１５に示す本例の医用情報システム１００′は、読影端末１′、医用画像サーバ２及びモダリティ３の他、これら読影端末１、医用画像サーバ２及びモダリティ３と前記ネットワーク４を介して接続された読影レポートサーバ５を有している。前記読影レポートサーバ５には、特に図示しないが、前記医用画像サーバ２に記憶された前記患者・検査情報データ２２と同一内容のデータ（患者の氏名、患者のＩＤ、検査日、検査モダリティ、検査部位等の情報）が記憶されている。
【００３７】
また、図１６に示すように、前記読影端末１′におけるＣＰＵ１２は、画像ビューワ１２１′、読影レポート作成部１２２、測定部１２３、位置特定部１２４を有している。従って、第一実施形態とは異なり、本例では画像ビューワの機能と読影レポートの作成機能とが別々になっている。
【００３８】
前記画像ビューワ１２１′は、前記モニタ１３に画像を表示させる機能を実行するものであり、前記モダリティ３で撮影された医用画像Ｇや前記指示マーカＩＭを前記モニタ１３に表示させる。前記読影レポート作成部１２２は、読影レポートの作成機能を実行する。本例では、第一実施形態とは異なり、医用画像とは別画面において読影レポートを作成する。詳細は後述する。前記読影レポート作成部１２２は、本発明における読影レポート作成部の実施の形態の一例である。
【００３９】
前記測定部１２３は、前記指示マーカＩＭによって指示された部位の大きさを測定する。詳細は後述する。前記測定部１２３は本発明における測定部の実施の形態の一例である。
【００４０】
前記位置特定部１２４は、医用画像Ｇに設定された前記指示マーカＩＭの設定位置を特定する。詳細は後述する。前記位置特定部１２４は本発明における位置特定部の実施の形態の一例である。
【００４１】
本例における読影レポートの作成について説明する。本例では、頭部ＣＴ画像についての読影レポートの作成例について説明する。本例においても、図６のフローチャートと同様にして読影レポートの作成が行われる。ただし、本例では検査部位は頭部であるので、前記ステップＳ２においては、頭部の定義情報データ（具体例は図示省略）が取得されるものとする。
【００４２】
前記ステップＳ２では、前記読影端末１′は、前記医用画像サーバ２に記憶された患者・検査情報データ２２の代わりに、前記読影レポートサーバ５に記憶された患者・検査情報データを取得して前記メモリ１５に記憶する。
【００４３】
前記ステップＳ３では、前記医用画像Ｇのほか、図１７に示すように読影レポートの作成画面ＧＲが前記モニタ１３に表示される。前記読影レポートの作成画面ＧＲは、前記読影レポート作成部１２２が表示させる。前記読影レポートの作成画面ＧＲは、前記医用画像Ｇとは別のモニタに表示されてもよい。
【００４４】
前記読影レポートの作成画面ＧＲにおいて、Ｘ１１は患者の氏名、ＩＤなどの患者情報や撮影モダリティ、撮影日などの情報が表示される欄、Ｘ１２は所見を記入する所見欄、Ｘ１３は診断内容を記入する診断欄である。また、Ｘ１４は患者の氏名、身長、体重、血液型などの患者情報、撮影部位などの撮影情報、過去の読影レポートを選択するための画面が表示される欄である。さらに、前記読影レポートの作成画面ＧＲは、この他に、診断においてキーとなる画像が添付される画像欄を有していてもよい。
【００４５】
前記読影レポート作成部１２２は、前記Ｘ１１の欄の患者の氏名、ＩＤなどの患者情報や検査モダリティ、検査日などの情報を、前記読影レポートサーバ５から取得された患者・検査情報データに基づいて表示させる。
【００４６】
前記医用画像Ｇ及び前記読影レポートの作成画面ＧＲが表示されると、第一実施形態と同様に、読影医は読影を行ない、読影レポートに記載されるべき所見が認められた場合、その医用画像Ｇの該当箇所に前記指示マーカＩＭを設定する。
【００４７】
本例では、所見として血腫が認められたものとする。前記ステップＳ３では、読影医は血腫を示す指示マーカＩＭ１を選択して医用画像Ｇに設定する。この時、指示マーカＩＭ１の設定によって血腫の大きさが測定される。具体的には、読影医は所見が認められた部分に前記指示マーカＩＭ１を合わせ、この指示マーカＩＭの円周部ｃｆの径を調節して血腫の外縁に円周部ｃｆを位置させるようにして指示マーカＩＭ１を設定する。前記指示マーカＩＭ１が設定されると、前記測定部１２３は、前記円周部ｃｆの直径を測定する。
【００４８】
また、前記位置特定部１２４は、前記指示マーカＩＭ１が設定されると、医用画像Ｇにおける前記指示マーカＩＭ１の設定位置を特定し、前記指示マーカＩＭ１によって指示された部位の被検体における位置を特定する。例えば、前記位置特定部１２４は、頭部ＣＴ画像である医用画像Ｇにおいて、図１８に示す位置に前記指示マーカＩＭ１が設定された場合、頭部の輪郭を画像上で検出した上で、医用画像Ｇにおける前記指示マーカＩＭ１の設定位置を特定し、その位置特定情報と検査部位の情報を用いて前記指示マーカＩＭ１の設定位置が右側頭部であることを特定する。
【００４９】
前記ステップＳ４においては、読影レポートは医用画像とは別に作成される。具体的には、前記ステップＳ３において前記指示マーカＩＭ１が設定されると、前記ステップＳ４では、前記読影レポート作成部１２２は、前記指示マーカＩＭ１が示す所見情報及びその他前記指示マーカＩＭ１の設定によって特定される情報が前記所見欄Ｘ１２に記載された読影レポートを作成する。本例では、前記読影レポート作成部１２２は、前記所見欄Ｘ１２に、例えば「シリーズ２、画像番号１０の頭部ＣＴ画像の右側頭部に２ｃｍ大の血腫が見られる」と記載された読影レポートを作成する。
【００５０】
「シリーズ２、画像番号１０」の情報は前記指示マーカＩＭ１が設定された医用画像ＧのＤＩＣＯＭヘッダ情報に基づくものである。「頭部ＣＴ画像」の情報は前記指示マーカＩＭ１が設定された医用画像Ｇの患者・検査情報データ２２に基づくものである。「右側頭部」の情報は、前記位置特定部１２４によって特定された前記指示マーカＩＭ１の位置情報に基づくものである。「２ｃｍ大」の情報は、前記測定部１２３によって測定された前記円周部ｃｆの直径の情報に基づくものである。「血腫」の情報は、前記定義情報データ２３に基づくものである。これらの情報は、いずれも前記指示マーカＩＭ１の設定によって特定された情報である。
【００５１】
本例では、前記ステップＳ４で作成された読影レポートは、前記読影レポートサーバ５に記憶される。
【００５２】
本例によれば、第一実施形態と同様に、前記医用画像Ｇに前記指示マーカＩＭを設定するだけで、所見欄Ｘ１２の内容が半自動的に作成されるので、読影医は読影レポートを従来よりも容易に作成することができる。
【００５３】
以上、本発明を上記各実施形態によって説明したが、本発明はその主旨を変更しない範囲で種々変更実施可能なことはもちろんである。例えば、上記実施形態において、前記指示マーカＩＭの設定によって特定されて、読影レポートにおける所見欄及び診断欄の少なくともいずれかの内容として記載される情報は一例であり、上述のものに限られるものではない。
【００５４】
また、第二実施形態において、前記読影レポートサーバ５に前記定義情報データ２３が記憶されていてもよい。
【符号の説明】
【００５５】
１１  入力部
１２２，１２１２  読影レポート作成部
１２３  測定部
１２４  位置特定部
１３  モニタ（表示部）
【図１】
2013008274.tif 000003
【図２】
2013008274.tif 000004
【図３】
2013008274.tif 000005
【図４】
2013008274.tif 000006
【図５】
2013008274.tif 000007
【図６】
2013008274.tif 000008
【図７】
2013008274.tif 000009
【図８】
2013008274.tif 000010
【図９】
2013008274.tif 000011
【図１０】
2013008274.tif 000012
【図１１】
2013008274.tif 000013
【図１２】
2013008274.tif 000014
【図１３】
2013008274.tif 000015
【図１４】
2013008274.tif 000016
【図１５】
2013008274.tif 000017
【図１６】
2013008274.tif 000018
【図１７】
2013008274.tif 000019
【図１８】
2013008274.tif 000020